(57)【要約】【課題】  利用者の使い勝手を向上させる。【解決手段】  ユーザは、コンビニ１０内のプリンタ２０にＩＤ等を入力することにより付け替え先（Ａ事業所内の処理実行装置２４）を指定する。その後、プリンタ２０で印刷する。プリンタ２０は、印刷枚数を、付け替え先であるＡ事業所内の処理実行装置２４に通信端末２２を介して送信する。処理実行装置２４では、付け替え枚数を増加させる。そして、コンビニの店員は、印刷枚数の累積枚数から付け替え枚数を減算した枚数を、課金先に報告する。一方、処理実行装置２４では、係員は、印刷枚数の累積枚数と付け替え枚数とを加算した合計枚数を、課金先に報告する。【選択図】        図１
2006228031.tif 000002
【特許請求の範囲】
【請求項１】
所定処理の処理量の付替え先に関する情報を入力する入力手段と、
前記所定処理を実行する実行手段と、
前記実行手段の実行による前記所定処理の処理量を計数する計数手段と、
前記計数手段により計数された処理量を、前記入力手段により入力された付替え先に関する情報に基いて付替え先に送信する通信手段と、
を備えた処理実行装置。
【請求項２】
前記所定処理は、被印刷媒体に画像を印刷する印刷処理であり、
前記処理量は、前記実行手段により画像が形成された被印刷媒体の枚数である、
ことを特徴とする請求項１記載の処理実行装置。
【請求項３】
前記入力手段は、認証情報を更に入力し、
前記通信手段は、前記入力手段により入力された認証情報を所定の認証処理実行装置に送信し、該認証処理実行装置から認証結果を受信し、
前記実行手段は、前記通信手段により受信された認証結果に基いて、前記所定処理を実行する
ことを特徴とする請求項１又は請求項２記載の処理実行装置。
【請求項４】
前記通信手段は、前記所定処理の処理量の上限値を受信し、
前記実行手段は、前記通信手段により受信された上限値の範囲で、前記所定処理を実行する
ことを特徴とする請求項１乃至請求項３の何れか１項に記載の処理実行装置。
【請求項５】
前記入力手段は、処理量を送信する送信モードと送信しない非送信モードの何れかの情報を選択的に入力し、
前記通信手段は、前記入力手段により送信モードの情報が入力された場合に、前記計数された処理量を前記付替え先に送信する
請求項１乃至請求項４の何れか１項に記載の処理実行装置。
【請求項６】
請求項１乃至請求項５の何れか１項に記載の処理実行装置から前記処理量を受信する通信手段と、
所定処理を実行する実行手段と、
前記実行手段による前記所定処理の処理量を計数する計数手段と、
前記計数手段により計数された処理量と、前記通信手段により受信された処理量とを管理する管理手段と、
を備えた処理実行装置。
【請求項７】
所定処理の処理量の付替え先に関する情報を入力する入力手段と、
前記所定処理を実行する実行手段と、
前記実行手段による前記所定処理の処理量を計数する計数手段と、
前記計数手段により計数された処理量を付替え先を指定して、所定の送信先に送信する通信手段と、
を備えた処理実行装置。
【請求項８】
所定処理を実行する処理実行装置から送信された所定処理の処理量を受信する通信手段と、
前記通信手段により受信された処理量を管理する管理手段と、
を備えた処理量管理装置であって、
前記通信手段は、請求項７記載の処理実行装置により前記付替え先が指定されて送信された処理量を受信し、
前記管理手段は、前記付替え先が指定されて送信された処理量を、前記指定された付替え先に付け替えて管理する、
ことを特徴とする処理量管理装置。
【請求項９】
入力手段により、所定処理の処理量の付替え先に関する情報を入力するステップと、
実行手段により、前記所定処理を実行するステップと、
計数手段により、前記実行手段による前記所定処理の処理量を計数するステップと、
通信手段により、前記計数手段により計数された処理量を、前記入力手段により入力された付替え先に関する情報に基いて付替え先に送信するステップと、
を備えた処理実行方法。
【請求項１０】
前記所定処理は、被印刷媒体に画像を印刷する印刷処理であり、
前記処理量は、前記実行手段の実行により画像が形成された被印刷媒体の枚数である、
ことを特徴とする請求項９記載の処理実行方法。
【請求項１１】
前記入力のステップでは、認証情報を更に入力し、
前記送信のステップでは、前記入力手段により入力された認証情報を所定の認証処理実行装置に送信し、該認証処理実行装置から認証結果を受信し、
前記実行のステップでは、前記通信手段により受信された認証結果に基いて、前記所定処理を実行する
ことを特徴とする請求項９又は請求項１０記載の処理実行方法。
【請求項１２】
前記通信手段により、前記所定処理の処理量の上限値を受信するステップを更に備え、
前記実行のステップでは、前記通信手段により受信された上限値の範囲で、前記所定処理を実行する
ことを特徴とする請求項９乃至請求項１１の何れか１項に記載の処理実行方法。
【請求項１３】
前記入力のステップでは、処理量を送信する送信モードと送信しない非送信モードの何れかの情報を選択的に入力し、
前記送信のステップでは、前記入力手段により送信モードの情報が入力された場合に、前記計数された処理量を前記付替え先に送信する
請求項９乃至請求項１２の何れか１項に記載の処理実行方法。
【請求項１４】
通信手段により、請求項１乃至請求項６の何れか１項に記載の処理実行装置から前記処理量を受信するステップと、
実行手段により、所定処理を実行するステップと、
計数手段により、前記実行手段による前記所定処理の処理量を計数するステップと、
管理手段により、前記計数手段により計数された処理量と、前記通信手段により受信された処理量とを管理するステップと、
を備えた処理実行方法。
【請求項１５】
入力手段により、所定処理の処理量の付替え先付替え先に関する情報を入力するステップと、
実行手段により、前記所定処理を実行するステップと、
計数手段により、前記実行手段による前記所定処理の処理量を計数するステップと、
通信手段により、前記計数手段により計数された処理量を付替え先を指定して、所定の送信先に送信するステップと、
を備えた処理実行方法。
【請求項１６】
通信手段により、所定処理を実行する処理実行装置から送信された所定処理の処理量を受信するステップと、
管理手段により、前記通信手段により受信された処理量を管理するステップと、
を備えた処理量管理方法であって、
前記通信のステップでは、請求項７記載の処理実行装置により前記付替え先が指定されて送信された処理量を受信し、
前記管理のステップでは、前記付替え先が指定されて送信された処理量を、前記指定された付替え先に付け替えて管理する、
ことを特徴とする処理量管理方法。
【請求項１７】
コンピュータに、以下の処理実行処理を実行させる処理実行プログラムであって、
前記処理実行処理は、
入力手段により、所定処理の処理量の付替え先に関する情報を入力するステップと、
実行手段により、前記所定処理を実行するステップと、
計数手段により、前記実行手段の実行による前記所定処理の処理量を計数するステップと、
通信手段により、前記計数手段により計数された処理量を、前記入力手段により入力された付替え先に関する情報に基いて付替え先に送信するステップと、
を備えた処理実行プログラム。
【請求項１８】
前記所定処理は、被印刷媒体に画像を印刷する印刷処理であり、
前記処理量は、前記実行手段により画像が形成された被印刷媒体の枚数である、
ことを特徴とする請求項１７記載の処理実行プログラム。
【請求項１９】
前記入力のステップでは、認証情報を更に入力し、
前記送信のステップでは、前記入力手段により入力された認証情報を所定の認証処理実行装置に送信し、該認証処理実行装置から認証結果を受信し、
前記実行のステップでは、前記通信手段により受信された認証結果に基いて、前記所定処理を実行する
ことを特徴とする請求項１７又は請求項１８記載の処理実行プログラム。
【請求項２０】
前記通信手段により、前記所定処理の処理量の上限値を受信するステップを更に備え、
前記実行のステップでは、前記通信手段により受信された上限値の範囲で、前記所定処理を実行する
ことを特徴とする請求項１７乃至請求項１９の何れか１項に記載の処理実行プログラム。
【請求項２１】
前記入力のステップでは、処理量を送信する送信モードと送信しない非送信モードの何れかの情報を選択的に入力し、
前記送信のステップでは、前記入力手段により送信モードの情報が入力された場合に、前記計数された処理量を前記付替え先に送信する
請求項１７乃至請求項２０の何れか１項に記載の処理実行プログラム。
【請求項２２】
コンピュータに、以下の処理実行処理を実行させる処理実行プログラムであって、
前記処理実行処理は、
通信手段により、請求項１乃至請求項６の何れか１項に記載の処理実行装置から前記処理量を受信するステップと、
実行手段により、所定処理を実行するステップと、
計数手段により、前記実行手段による前記所定処理の処理量を計数するステップと、
管理手段により、前記計数手段により計数された処理量と、前記通信手段により受信された処理量とを管理するステップと、
を備えた処理実行プログラム。
【請求項２３】
コンピュータに、以下の処理実行処理を実行させる処理実行プログラムであって、
前記処理実行処理は、
入力手段により、所定処理の処理量の付替え先に関する情報を入力するステップと、
実行手段により、前記所定処理を実行するステップと、
計数手段により、前記実行手段による前記所定処理の処理量を計数するステップと、
通信手段により、前記計数手段により計数された処理量を付替え先を指定して、所定の送信先に送信するステップと、
を備えた処理実行プログラム。
【請求項２４】
コンピュータに、以下の処理量管理処理を実行させる処理量管理プログラムであって、
前記処理量管理処理は、
通信手段により、所定処理を実行する処理実行装置から送信された所定処理の処理量を受信するステップと、
管理手段により、前記通信手段により受信された処理量を管理するステップと、
を備え、
前記通信のステップでは、請求項７記載の処理実行装置により前記付替え先が指定されて送信された処理量を受信し、
前記管理のステップでは、前記付替え先が指定されて送信された処理量を、前記指定された付替え先に付け替えて管理する、
ことを特徴とする処理量管理プログラム。
【発明の詳細な説明】
【技術分野】
【０００１】
本発明は、処理実行装置、処理実行方法、処理実行プログラム、処理量管理装置、及び処理量管理プログラムにかかり、より詳細には、所定処理を実行すると共に所定処理の処理量を計数する処理実行装置、処理実行方法、及び、処理実行プログラムと、所定処理の処理量を管理する処理量管理装置及び処理量管理プログラムとに関する。
【背景技術】
【０００２】
従来、コンビニエント・ストアーにコピー機が設置され、コンビニエント・ストアーでの買い物のついで等にコピー機が利用されている。
【０００３】
ところで、コンビニエント・ストアーでコピー機を利用する目的は、利用者の仕事に関連するコピーのためではなく、私的なコピーであることが一般的である。もちろん、仕事に関連するコピーのために、コンビニエント・ストアーでコピー機を利用することも行われている。仕事に関連するコピーのために、コンビニエント・ストアーでコピー機を利用する場合には、コピー機の利用のための料金支払い後、コンビニエント・ストアーから領収書をもらい、その後、会社などに清算することになる。しかし、コンビニエント・ストアーでのコピー機の利用の清算は一般的に、小額清算であるので、会社での精算は、利用者や、会社側の清算担当者にとって煩わしい。このような事情から、コンビニエント・ストアーでコピー機を利用する目的は私的なコピーであることが一般的となっている。
【０００４】
また、会社内でも、ある部の者が他の部に赴き、自身の部の仕事のため、他の部にあるコピー機を利用したい場合がある。しかし、同じ会社内でも、部が異なる毎に予算が決められ、各部は決められた予算内で業務が行われている場合、他の部の仕事のためにコピー機が使われ、その分、利用可能な予算が削られることになる。よって、同じ会社内であっても、自身の部の仕事のため、他の部にあるコピー機を利用できない乃至利用しにくいという問題がある。
【０００５】
なお、関連する技術として、メール受信時に、送信者に課金を付け替える方法が提案されている（特許文献１参照）。しかし、課金を付け替えることができない送信者にも付け替えてしまう。
【０００６】
また、電話サービスの一つとして、通話料金を通話の相手方に付けかえるコレクトコールというものが従来行われている。しなしながら、このためには、ユーザがオペレータとコンタクトして付替え先を口頭で指定する必要がある。このように付替え先を口頭で説明しなければならないので、使い勝手が悪い。
【特許文献１】特開平５‐２６８２１６号公報
【発明の開示】
【発明が解決しようとする課題】
【０００７】
本発明は、上記事実に鑑み成されたもので、使い勝手を向上させることの可能な処理実行装置、処理実行方法、処理実行プログラム、処理量管理装置、及び処理量管理プログラムを提供することを目的とする。
【課題を解決するための手段】
【０００８】
上記目的を達成するために請求項１に記載の発明の処理実行装置は、所定処理の処理量の付替え先に関する情報を入力する入力手段と、前記所定処理を実行する実行手段と、前記実行手段の実行による前記所定処理の処理量を計数する計数手段と、前記計数手段により係数された処理量を、前記入力手段により入力された付替え先に関する情報に基いて付替え先に送信する通信手段と、を備えている。
【０００９】
即ち、入力手段は、所定処理の処理量の付替え先に関する情報を入力する。なお、付替え先に関する情報としては、付替え先の情報ばかりではなく、付替え先を識別することの可能な情報とすることができる。
【００１０】
実行手段は所定処理を実行し、計数手段は、実行手段の実行による所定処理の処理量を計数する。通信手段は、計数手段により係数された処理量を、入力手段により入力された付替え先に関する情報に基いて付替え先に送信する。
【００１１】
このように、所定処理の処理量の付替え先に関する情報を入力すれば自動的に処理量を付替え先に送信するので、使い勝手を向上させることができる。
【００１２】
ところで、所定処理としては、例えば、請求項２のように、被印刷媒体に画像を印刷する印刷処理とすることができる。この場合、処理量は、実行手段により画像が形成された被印刷媒体の枚数である。
【００１３】
なお、所定処理は、印刷処理に限定されるものではなく、例えば、原稿等を読み取って得られた画像データを送信するファクシミリ送信処理も同様に適用することができる。なお、この場合、処理量は、読み取った原稿の枚数や、送信にかかった時間とすることができる。
【００１４】
ところで、上記のような処理量の付替えが悪用されると送信先の経済的損失が多大となる。そこで、請求項３のように、入力手段は、認証情報を更に入力し、通信手段は、入力手段により入力された認証情報を所定の認証処理実行装置に送信し、該認証処理実行装置から認証結果を受信し、実行手段は、通信手段により受信された認証結果に基いて、所定処理を実行するようにしてもよい。
【００１５】
なお、認証処理実行装置は、上記付替え先の装置でも、付替え先ではなく、例えば、処理量を管理する処理量管理装置でもよい。
【００１６】
また、付替え可能な処理量を無制限に認めるのも好ましくない場合がある。そこで、請求項４のように、通信手段は、所定処理の処理量の上限値を受信し、実行手段は、通信手段により受信された上限値の範囲で、所定処理を実行するようにしてもよい。
【００１７】
例えば、上記入力された付替え先に関する情報や、上記認証情報に基いて、予め上限値を定め、付替え先の装置や上記処理量管理装置でこれを記憶しておき、通信手段は、このような装置を通信して、上記のように上限値を受信する。
【００１８】
更に、仕事用と私用で処理の実行を分けたい場合もある。そこで、請求項５のように、入力手段は、処理量を送信する送信モードと送信しない非送信モードの何れかの情報を選択的に入力し、通信手段は、入力手段により送信モードの情報が入力された場合に、上記計数された処理量を付替え先に送信するようにしてもよい。なお、非送信モードの情報が入力された場合には、実行装置は実行しないようにしてもよく、また、実行してもよいが、付け替えない（処理量を付替え先に送信しない）ようにしてもよい。
【００１９】
請求項６記載の発明の処理実行装置（上記付替え先）は、上記請求項１乃至請求項５の何れか１項に記載の処理実行装置から前記処理量を受信する通信手段と、所定処理を実行する実行手段と、前記実行手段による前記所定処理の処理量を計数する計数手段と、前記計数手段により係数された処理量と、前記通信手段により受信された処理量とを管理する管理手段と、を備えている。
【００２０】
即ち、通信手段は、請求項１乃至請求項５の何れか１項に記載の処理実行装置から前記処理量を受信する。
【００２１】
なお、本付替え先の装置であっても、所定処理を実行する実行手段と、実行手段による所定処理の処理量を計数する計数手段と、を備えている。
【００２２】
そして、管理手段は、計数手段により係数された処理量と、通信手段により受信された処理量とを管理する。例えば、計数手段により係数された処理量と、通信手段により受信された処理量とを別々に管理したり、計数手段により係数された処理量と、通信手段により受信された処理量とを加算して管理したり、してもよい。
【００２３】
このように付替え先において、請求項１乃至請求項５の何れか１項に記載の処理実行装置から受信した処理量を管理するので、付替え先で一括管理することができ、付替え処理の実効を図ることができる。
【００２４】
ところで、以上説明した発明では、処理量を付替え先に送信しているが、本発明はこれに限定されるものではなく、次のように、付替え先とは異なる場所に送信してもよい。
【００２５】
即ち、請求項７記載の処理実行装置は、所定処理の処理量の付替え先に関する情報を入力する入力手段と、前記所定処理を実行する実行手段と、前記実行手段による前記所定処理の処理量を計数する計数手段と、前記計数手段により係数された処理量を付替え先を指定して、所定の送信先に送信する通信手段と、を備えている。
【００２６】
このように、処理実行装置は、係数された処理量を付替え先を指定して、所定の送信先に送信するので、使い勝手を向上させることができる。
【００２７】
上記送信先としては処理量管理装置を利用することができる。即ち、請求項８記載の発明は、所定処理を実行する処理実行装置から送信された所定処理の処理量を受信する通信手段と、前記通信手段により受信された処理量を管理する管理手段と、を備えた処理量管理装置であって、前記通信手段は、請求項７記載の処理実行装置により前記付替え先が指定されて送信された処理量を受信し、前記管理手段は、前記付替え先が指定されて送信された処理量を、前記指定された付替え先に付け替えて管理する。
【００２８】
このように、処理量管理装置が一括管理するので、付替え処理の実効を図ることができる。
【００２９】
なお、請求項９〜１６、及び請求項１７〜２４記載の発明はそれぞれ、請求項１〜８の発明と同様の作用、効果を有するので、その説明を省略する。
【発明の効果】
【００３０】
以上説明したように本発明は、所定処理の処理量の付替え先に関する情報を入力すれば自動的に処理量を付替え先や所定の送信先に送信するので、使い勝手を向上させることができる。
【発明を実施するための最良の形態】
【００３１】
以下、図面を参照して本発明の実施の形態を詳細に説明する。
【００３２】
図１に示すように、コンビニエントストアー（以下、コンビニという）１０には、プリンタ２０と、通信手段としての通信端末２２とを備えている。プリンタ２０と通信端末２２とにより、処理実行装置が構成される。なお、プリンタ２０と通信端末２２とを別々備えることに限定されず、１つの装置として実現するようにしてもよい。
【００３３】
コンビニ１０の通信端末２２はインターネットを介して、Ａ事業所１２の処理実行装置２４、Ｂ事業所１４の処理実行装置２６、及びサーバシステム１６内の認証処理実行装置２８にそれぞれ接続されている。
【００３４】
図２に示すように、プリンタ２０は、ＣＰＵ３０、ＲＯＭ３４、ＲＡＭ３６、実行手段としての印刷部３８、入力手段としての入力部４０、表示部４２、通信端末２２に接続されたインターフェース（Ｉ／Ｆ）４４をバス４６を介して相互に接続して構成されている。通信端末２２は、パーソナルコンピュータにより構成されている。通信端末２２は、インターネットに接続するための通信部を備えている。
【００３５】
Ａ事業所１２内の処理実行装置２４とＢ事業所処理実行装置２６は、コンビニ１０に備えられたプリンタ２０及び通信端末２２と同様の構成となっている。
【００３６】
図３に示すように、認証処理実行装置２８は、ＣＰＵ５２、ＲＯＭ５４、ＲＡＭ５６、インターフェース（Ｉ／Ｆ）５８、及び記憶装置６０をバス６２を介して相互に接続されて構成されている。
【００３７】
図４に示すように、記憶装置６０には、認証情報管理テーブルが記憶されている。認証情報管理テーブルは、事業所、氏名、登録情報（ＩＤ）、パスワード、及び付け替え先が対応して記憶されている。即ち、例えば、氏名○○  ○○は、Ａ事業所に属し、登録情報ＩＤとして０００１が付与され、パスワードとして＊＊＊＊が付与されている。そして、氏名○○  ○○は、本来はＡ事業所に属するものであるので、後述する付け替え先は、Ａの１、即ち、Ａ事業所１２の処理実行装置２４が付与されている。なお、この認証情報管理テーブルの具体的構成内容は変更可能である。
【００３８】
プリンタ２０は、処理管理テーブル（図５参照）を記憶している。処理管理テーブルはプリンタ２０により印刷された枚数の累計を記憶するための領域Ｒ１と、後述する付け替え枚数を累積する領域Ｒ２とを備えている。Ａ事業所１２内の処理実行装置２４とＢ事業所処理実行装置２６はも、この処理管理テーブルを記憶している。
【００３９】
次に、本実施の形態の作用を説明する。上記氏名○○  ○○により識別されるユーザがコンビニ１０に備えられたプリンタ２０を利用する場合を例にとり説明する。
【００４０】
まず、プリンタ２０の入力部４０における図示しないスタートボタンをＯＮすると、表示部４２に、公用印刷モードか私用印刷モードかを問い合わせる表示をする。ユーザは、自己の利用する目的に従って、公用印刷モードか、私用印刷モードかを選択して表示部をタッチする。このような状態で表示部がタッチされると、図６に示すメインルーチンをスタートし、ステップ８２で、公用印刷か否かを判断する。
【００４１】
公用印刷モードが選択された場合には、ステップ８２が肯定判定され、ステップ８４で、公用印刷処理を実行する。私用印刷モードが選択された場合には、ステップ８２が否定判定され、ステップ８６で、従来と同様の印刷処理である私用印刷処理を実行する。
【００４２】
次に、図６のステップ８４の公用印刷処理を詳細に説明する。図７に示すように、公用印刷処理は、ステップ１０２で、認証情報を入力する。即ち、例えば、上記氏名○○  ○○のユーザは、入力部４０を介して、認証情報として、ＩＤ（０００１）を及びパスワード（＊＊＊＊）を入力する。
【００４３】
認証情報が入力されると、ステップ１０４で、認証情報を認証処理実行装置２８に送信する。認証処理実行装置２８は、認証情報を受信し、対応する情報が認証情報管理テーブル（図４参照）に記憶されているか判断し、対応する情報が記憶されていると判断された場合には、許可信号を送信する。一方、認証情報管理テーブルに対応する情報が記憶されていないと判断された場合には、認証処理実行装置２８は、不許可信号を出力する。
【００４４】
図７のステップ１０６で、許可信号を認証処理実行装置２８から受信したかを
否かを判断し、許可信号を受信しなかったと判断した場合には、ステップ１１２で、表示部４２にその旨のメッセージを表示して、本プログラムを終了する。
【００４５】
一方、認証処理実行装置２８から許可信号を受信したと判断した場合には、ステップ１０８で、印刷処理を実行する。次のステップ１１０で、印刷枚数を付け替え先に送信する。
【００４６】
ここで、図４に示すように、氏名○○  ○○で識別されるものの付け替え先はＡ１と設定されているので、付け替え先Ａ１で識別されるＡ事業所１２における処理実行装置２４に、ステップ１０８で実行された印刷処理の処理量である印刷枚数を送信する。
【００４７】
これにより、印刷枚数がＡ事業所１２の処理実行装置２４に入力され、これにより処理実行装置２４は、図８に示すプログラムをスタートし、処理実行装置２４は、処理量管理テーブル（図５参照）の付け替え枚数を受信した付け替え量で増加させる。
【００４８】
ところで、印刷に関する課金は次にように行う。即ち、コンビニの店員は、プリンタ２０は所定の印刷ボタンをオンする。これにより、プリンタ２０が記憶している処理量管理テーブルの情報が印刷される。従って、コンビニの店員は、印刷枚数の累積枚数と、付け替え枚数とを認識することができる。そこで、コンビニの店員は、印刷枚数の累積枚数から付け替え枚数を減算した枚数を、課金先に報告する。
【００４９】
一方、付け替え先、例えば、Ａ事業所１２の処理実行装置２４で、係員は、処理実行装置２４は所定の印刷ボタンをオンする。これにより、処理実行装置２４が記憶している処理量管理テーブルの情報が印刷される。従って、係員は、印刷枚数の累積枚数と、付け替え枚数とを認識することができる。そこで、係員は、印刷枚数の累積枚数と付け替え枚数とを加算した合計枚数を、課金先に報告する。
【００５０】
なお、以上は課金先に店員や係員自身が個別に対応しているが、本発明はこれに限定されるものではなく、プリンタ２０及び通信端末２２や、処理実行装置２４、２６が自動的に上記計算をして、計算結果を課金先に送信するようにしてもよい。
【００５１】
ところで、各ユーザ毎に付け替え枚数の上限値を設定するようにしてもよい。即ち、図４に示す認証情報管理テーブルに、各ユーザ毎に、一月当たりの付け替え量の上限値を対応して記憶する。なお、この上限値は、一月単位で、付け替える毎に減算する。
【００５２】
そして、印刷処理（ステップ１０８（図７参照））においては、図９に示す処理を実行するようにしてもよい。即ち、ステップ１２２で、付け替え可能枚数を表示部４２に表示し、ステップ１２４で、印刷処理を実行し、印刷枚数が付け替え可能枚数に到達したか否かを判断し、印刷枚数が付け替え可能枚数に到達していないと判断した場合には、ステップ１３２で、印刷処理が終了したか否かを判断し、印刷処理が終了していないと判断した場合には、ステップ１２４に戻る。  一方、印刷枚数が付け替え可能枚数に到達したと判断した場合には、ステップ１２８で、表示部４２に、印刷枚数が付け替え可能枚数に到達したことを表示し、ステップ１３０で、印刷処理を停止して、本プログラムを終了する。なお、印刷処理が終了した、即ち、指定枚数印刷した場合には、ステップ１３０に進む。
【００５３】
ところで、例では、コンビニ１０におけるプリンタ２０を利用する場合を例にとり説明したが、本発明はこれに限定されるものではなく、例えば、Ａ事業所に属するユーザが、Ｂ事業所に赴き、Ｂ事業所の処理実行装置２６を利用する場合にも上記各例に示す処理（図６や図９に示す処理）を実行するようにしてもよい。
【００５４】
なお、以上説明した各例では、ユーザは、入力部４０を介して、認証情報として、ＩＤ（０００１）を及びパスワード（＊＊＊＊）をマニュアルで入力するようにしているが、本発明はこれに限定されるものではなく、ＩＤ（０００１）を及びパスワード（＊＊＊＊）等が記憶されたカードを読み取る読取器を備え、ユーザが、自己のカードを読取器に読み取らせて、上記ＩＤ（０００１）を及びパスワード（＊＊＊＊）等を入力するようにしてもよい。
【００５５】
また、上記各例では、付け替え先に処理量（付け替え枚数）を送信しているが、本発明はこれに限定されるものではなく、プリンタ２０及び通信端末２２や、処理実行装置２４、２６から、付け替え先を指定して課金装置（集中管理装置）に送信し、課金装置（集中管理装置）は、指定された付け替え先毎に付け替え量を加算し、上記課金をするようにしてよい。
【００５６】
なお、上記各例では、処理量は印刷枚数としているが、本発明はこれに限定されるものではなく、例えば、原稿等を読み取って得られた画像データを送信するファクシミリ送信処理も同様に適用することができる。なお、この場合、処理量は、読み取った原稿の枚数や、送信にかかった時間とすることができる。
【図面の簡単な説明】
【００５７】
【図１】処理実行システムのブロック図である。
【図２】プリンタ及び通信端末のブロック図である。
【図３】認証処理実行装置のブロック図である。
【図４】認証情報管理テーブルを示す図である。
【図５】処理量管理テーブルを示す図である。
【図６】プリンタ２０が実行するメインルーチンを示すフローチャートである。
【図７】図６のステップ３８のサブルーチンを示すフローチャートである。
【図８】処理実行装置が実行するプログラムを示すフローチャートである。
【図９】変形例における図７のステップ１０８のサブルーチンを示すフローチャートである。
【符号の説明】
【００５８】
２０  プリンタ（処理実行装置）
２２  通信端末（処理実行装置）
２４、２６  処理実行装置
【図１】
2006228031.tif 000003
【図２】
2006228031.tif 000004
【図３】
2006228031.tif 000005
【図４】
2006228031.tif 000006
【図５】
2006228031.tif 000007
【図６】
2006228031.tif 000008
【図７】
2006228031.tif 000009
【図８】
2006228031.tif 000010
【図９】
2006228031.tif 000011